(57)【要約】【課題】部品点数および組立工数を削減することが可能で、かつ、組立工程が複雑化することのないスイッチ装置を備えたデジタルカメラを提供する。【解決手段】ノブ２０と、ノブ２０の軸部２１が嵌め込まれるボディ１０と、接続端子３０と、スイッチ基板４０とを備えたデジタルカメラのスイッチ装置において、ノブ２０は、ボディ１０の内面と係合するボディ係合爪部２２と、斜面形状部２３ａを有する端子係合部２３と、軸部２１の下面に設けられた中央突出部２４および回り止め突出部２５とを含み、ボディ１０は、ボディ１０の内面側に複数配置される回転位置決め穴１１ｂを含み、接続端子３０は、第１穴部３１ａおよび第２穴部３１ｂを有する底面板部３１と、端子係合部２３と係合するノブ係合爪部３２と、スイッチ基板４０と当接する接点部３４と、ボディ１０に設けられた回転位置決め穴１１ｂに嵌まり込む位置決め突起部３３とを含む。【選択図】図７
2005063896.tif 000002
【特許請求の範囲】
【請求項１】
軸部を有するノブと、前記ノブの軸部が回転可能に嵌め込まれる軸部挿入穴を有するデジタルカメラのボディと、前記ボディの内面側に取り付けられ、前記ノブの回転に伴って回転するバネ性を有する材料からなる接続端子と、前記接続端子が当接される分割された円弧状のパターンを有するスイッチ基板とを備えたスイッチ装置を含むデジタルカメラにおいて、
前記ノブは、
前記ノブの軸部の周面に設けられ、前記ボディの内面と係合する複数のボディ係合爪部と、
前記ノブの軸部の周面に設けられ、斜面形状部を有する複数の端子係合部と、
前記ノブの軸部の端面の回転中心に対応する位置に設けられた中央突出部と、
前記ノブの軸部の端面に前記中央突出部と所定の間隔を隔てて設けられた回り止め突出部とを含み、
前記ボディは、
前記ボディの内面側の前記ノブの回転中心から所定の半径で円周状に複数配置されるとともに、前記ノブの回転中心に対して半径方向に延びる楕円形状を有する前記ノブの回転角度位置を決めるための回転位置決め穴を含み、
前記接続端子は、
前記ノブの軸部の端面に取り付けられるとともに、前記ノブの前記中央突出部と係合する第１穴部および前記回り止め突出部と係合する第２穴部を有する底面板部と、
前記底面板部の外周部分から前記ノブ側に突出するとともに、前記ノブの前記複数の端子係合部と係合する複数のノブ係合爪部と、
前記底面板部の外周部分から前記スイッチ基板側に突出して延びるとともに、前記スイッチ基板と当接する接点部と、
前記底面板部の外周部分から前記ノブ側に突出して延びるとともに、前記ボディの内面から前記ボディに設けられた前記複数の楕円形状の回転位置決め穴に嵌まり込むように構成された半球状の位置決め突起部とを含む、デジタルカメラ。
【請求項２】
軸部を有するノブと、
前記ノブの軸部が回転可能に嵌め込まれる軸部挿入穴を有するボディと、
前記ボディの内面側で前記ノブの軸部に取り付けられ、バネ性を有する材料からなる接続端子と、
前記接続端子が当接される分割されたパターンを有するスイッチ基板とを備え、
前記ノブは、
前記ボディの内面と係合するボディ係合部と、
端子係合部とを含み、
前記接続端子は、
前記ノブの前記端子係合部と係合するノブ係合部と、
前記スイッチ基板と当接する接点部とを含む、スイッチ装置。
【請求項３】
前記ボディは、
前記ボディの内面側に複数配置される前記ノブの回転角度位置を決めるための回転位置決め穴を含み、
前記接続端子は、
前記ボディの内面から前記ボディに設けられた前記複数の回転位置決め穴に嵌まり込むように構成された位置決め突起部を含む、請求項２に記載のスイッチ装置。
【請求項４】
前記ボディの前記回転位置決め穴は、前記ノブの回転中心に対して半径方向に延びる楕円形状に形成されている、請求項３に記載のスイッチ装置。
【請求項５】
前記ノブの前記端子係合部は、斜面形状部を有する、請求項２〜４のいずれか１項に記載のスイッチ装置。
【請求項６】
前記ノブは、
前記ノブの軸部の端面の回転中心に対応する位置に設けられた中央突出部と、
前記ノブの軸部の端面に前記中央突出部と所定の間隔を隔てて設けられた回り止め突出部とを含み、
前記接続端子は、
前記ノブの軸部の端面に取り付けられるとともに、前記ノブの前記中央突出部と係合する第１穴部および前記回り止め突出部と係合する第２穴部を有する底面板部を含む、請求項２〜５のいずれか１項に記載のスイッチ装置。
【発明の詳細な説明】
【技術分野】
【０００１】
本発明は、デジタルカメラおよびスイッチ装置に関し、特に、回転可能に嵌め込まれる軸部を有するノブを備えたスイッチ装置を含むデジタルカメラおよびスイッチ装置に関する。
【背景技術】
【０００２】
従来、回転可能に嵌め込まれる軸部を有するノブを備えたスイッチ装置が知られている（たとえば、特許文献１および特許文献２参照）。
【０００３】
上記特許文献１には、前面パネルのジョグルノブの支持部分に、ジョグルノブの回転中心と同心の扇形の切り欠き部を形成し、ジョグルノブの係止爪をその切り欠き部に挿入して係止させた従来の第１の例によるスイッチ装置が開示されている。この特許文献１に開示されたスイッチ装置は、前面パネルの内面側に、ジョグルノブの係止爪の回転軌道に沿って配置され、ジョグルノブの回転位置により背面側に押し込まれる２つの傾斜板と、その２つの傾斜板の背面側に位置するとともに、プッシュスイッチが取り付けられた操作基板とを備えている。
【０００４】
また、上記特許文献２には、導電板を樹脂製の嫡子（ノブ）に取り付けて一体化させるとともに、プリント基板の丸孔に嫡子（ノブ）の係合爪を係合させる従来の第２の例によるスイッチ装置が開示されている。この特許文献２に開示されたスイッチ装置では、導電板の舌片を嫡子（ノブ）の取付部に対して圧入して折り曲げることにより導電板と嫡子（ノブ）とが一体化されている。
【０００５】
以下、本願明細書では、スイッチ装置の一例として、デジタルカメラのスイッチ装置を例にとって説明する。
【０００６】
図８は、従来のスイッチ装置を備えたデジタルカメラの斜視図である。図９は、図８に示した従来のデジタルカメラのスイッチ装置部分を示した分解斜視図である。図１０は、図９に示した従来のデジタルカメラのスイッチ装置の下面図である。図１１は、図９に示した従来のデジタルカメラのスイッチ装置の３００−３００線に沿った断面図である。まず、図８〜図１１を参照して、従来のスイッチ装置を備えたデジタルカメラ１００の構造について説明する。
【０００７】
従来のスイッチ装置を備えたデジタルカメラ１００では、図８に示すように、ボディ１１０の上面部に設けられたスイッチ装着部１１１にスイッチ装置１１５が装着されている。このスイッチ装置１１５は、デジタルカメラ１００の機能の切り替えを行うために設けられている。また、スイッチ装置１１５は、図９に示すように、ボディ１１０のスイッチ装着部１１１と、軸部１２１を有するノブ１２０と、板バネ部材１３０と、固定部材１４０と、軸部取付ねじ１５０と、接点部１６０と、接点部取付ねじ１７０と、スイッチ基板１８０とにより構成されている。
【０００８】
スイッチ装着部１１１は、軸部挿入穴１１１ａと、板バネ取付部１１１ｂとを有している。この軸部挿入穴１１１ａには、ノブ１２０の軸部１２１が回転可能に挿入されている。また、板バネ取付部１１１ｂは、軸部挿入穴１１１ａの周囲を囲むように設けられている。この板バネ取付部１１１ｂは、板バネ部材１３０を固定するために設けられている。
【０００９】
また、ノブ１２０は、その回転によってデジタルカメラ１００の機能を切り替えるよう
に構成されている。また、ノブ１２０の軸部１２１の下面には、図１０に示すように、雌ねじ部１２２が設けられている。この雌ねじ部１２２は、図１１に示すように、軸部取付ねじ１５０を取り付けるために設けられている。また、ノブ１２０の下面側の内周面には、図１０および図１１に示すように、凹部１２３が設けられている。この凹部１２３は、ノブ１２０を回転させた場合に、所定の回転角度ごとに板バネ部材１３０と係合するように構成されている。また、板バネ部材１３０は、図９および図１１に示すように、スイッチ装着部１１１の板バネ取付部１１１ｂに固定的に取り付けられている。板バネ部材１３０の先端部１３１は、ノブ１２０を回転させる際に、ノブ１２０の凹部１２３に係合するように構成されている。これにより、所定の回転角度ごとに、ノブ１２０の回転角度位置が保持される。
【００１０】
また、固定部材１４０は、ボディ１１０の内面側からボディ１１０に当接するように設けられている。また、固定部材１４０は、ねじ通し穴１４１を含んでいる。また、軸部取付ねじ１５０は、図１１に示すように、ボディ１１０の内面側から固定部材１４０のねじ通し穴１４１を介してノブ１２０の雌ねじ部１２２に取り付けられている。また、固定部材１４０の下面には、接点部取付ねじ１７０により、接点部１６０が取り付けられている。
【００１１】
また、接点部１６０は、スイッチ基板１８０と当接するように設けられている。この接点部１６０は、ノブ１２０を回転させた場合に、ノブ１２０の軸部１２１を回転中心として固定部材１４０とともに回転するように構成されている。また、接点部１６０と当接するスイッチ基板１８０には、図９および図１１に示すように、ノブ１２０の軸部１２１を回転中心として回転する接点部１６０の軌跡に対応する位置に、導電部１８１が設けられている。この導電部１８１は、複数の分割された円弧状のパターンを有する。この導電部１８１の複数の分割された円弧状のパターンによって、ノブ１２０を回転させた場合に、所定の回転角度位置ごとに接点を切り替えることが可能となる。
【特許文献１】特開平１０−２０８５８６号公報
【特許文献２】実開昭６１−６５６３３号公報
【発明の開示】
【発明が解決しようとする課題】
【００１２】
しかしながら、図９に示した従来のスイッチ装置１１５を備えたデジタルカメラ１００では、ノブ１２０のボディ１１０に対する固定は、固定部材１４０と軸部取付ねじ１５０とを用いて行っていた。また、接点部１６０の固定部材１４０に対する固定は、接点部取付ねじ１７０を用いて行っていた。これにより、従来のデジタルカメラ１００のスイッチ装置１１５では、部品点数が多くなるという問題点があった。また、組立時に時間がかかるねじ止め部分を２ヶ所有することにより、組立工数が増加するという問題点もあった。
【００１３】
また、上記特許文献１に開示された従来の第１の例によるスイッチ装置では、ジョグルノブは直接操作基板上のプッシュスイッチを押すのではなく、２つの傾斜板を介して２つのプッシュスイッチを押す構造となっている。この場合、プッシュスイッチは、１個につき１種類の機能切り替え機能を有しているため、多数の機能切り替え機能を有するように構成するためには、その分、多数の傾斜板と、多数のプッシュスイッチが必要となるという不都合がある。これにより、この特許文献１に開示されたスイッチ装置においても、図９に示した従来のスイッチ装置１１５を備えたデジタルカメラ１００と同様、部品点数が多くなるという問題点がある。
【００１４】
また、上記特許文献２に開示された従来の第２の例によるスイッチ装置では、導電板を嫡子（ノブ）の取付部に取り付ける際、導電板の舌片を取付部の端部に対して圧入して折り曲げる必要があるため、組立工程が複雑化するという問題点がある。
【００１５】
この発明は、上記のような課題を解決するためになされたものであり、この発明の１つの目的は、部品点数および組立工数を削減することが可能で、かつ、組立工程が複雑化することのないスイッチ装置を備えたデジタルカメラおよびスイッチ装置を提供することである。
【課題を解決するための手段】
【００１６】
上記目的を達成するために、この発明の第１の局面におけるデジタルカメラでは、軸部を有するノブと、ノブの軸部が回転可能に嵌め込まれる軸部挿入穴を有するデジタルカメラのボディと、ボディの内面側に取り付けられ、ノブの回転に伴って回転するバネ性を有する材料からなる接続端子と、接続端子が当接される分割された円弧状のパターンを有するスイッチ基板とを備えたスイッチ装置を含むデジタルカメラにおいて、ノブは、ノブの軸部の周面に設けられ、ボディの内面と係合する複数のボディ係合爪部と、ノブの軸部の周面に設けられ、斜面形状部を有する複数の端子係合部と、ノブの軸部の端面の回転中心に対応する位置に設けられた中央突出部と、ノブの軸部の端面に中央突出部と所定の間隔を隔てて設けられた回り止め突出部とを含み、ボディは、ボディの内面側のノブの回転中心から所定の半径で円周状に複数配置されるとともに、ノブの回転中心に対して半径方向に延びる楕円形状を有するノブの回転角度位置を決めるための回転位置決め穴を含み、接続端子は、ノブの軸部の端面に取り付けられるとともに、ノブの中央突出部と係合する第１穴部および回り止め突出部と係合する第２穴部を有する底面板部と、底面板部の外周部分からノブ側に突出するとともに、ノブの複数の端子係合部と係合する複数のノブ係合爪部と、底面板部の外周部分からスイッチ基板側に突出して延びるとともに、スイッチ基板と当接する接点部と、底面板部の外周部分からノブ側に突出して延びるとともに、ボディの内面からボディに設けられた複数の楕円形状の回転位置決め穴に嵌まり込むように構成された半球状の位置決め突起部とを含む。
【発明の効果】
【００１７】
この発明の第１の局面におけるデジタルカメラでは、上記のように、スイッチ装置のノブを、ボディの内面と係合する複数のボディ係合爪部を含むように構成することによって、ねじおよび固定部材を用いることなく、ボディ係合爪部によりノブをボディに対して回転可能に取り付けることができるので、その分、部品点数を削減することができる。また、組立時に時間がかかるねじ止め部分がないので組立工数を削減することができる。また、ノブを、複数の端子係合部を含むように構成するとともに、接続端子を、ノブの端子係合部と係合する複数のノブ係合爪部を含むように構成することによって、ノブと接続端子とをねじなどを用いることなく固定することができる。これによっても、ねじがない分、部品点数および組立工数を削減することができる。また、ねじ止め作業や折り曲げ作業がない分、組立工程が複雑になることもない。また、１つの接続端子を分割された円弧状のパターンを有するスイッチ基板に当接させるとともに、ノブの回転により接続端子を回転させることによって、１つの接続端子で複数の機能の切り替えを行うことができる。これによっても部品点数が増加するのを防止することができる。
【００１８】
また、第１の局面では、ボディの内面側にノブの回転角度位置を決めるための複数の回転位置決め穴を含むように構成し、かつ、接続端子を、回転位置決め穴に嵌まり込むように構成された半球状の位置決め突起部を含むように構成することによって、ノブの回転中心に対して所定の角度ごとに、回転位置決め穴と位置決め突起部とが係合することによりノブの所定の回転角度位置を保持することができる。
【００１９】
また、第１の局面では、ボディの回転位置決め穴を、ノブの回転中心に対して半径方向に延びる楕円形状に形成することによって、ノブの軸部に取り付けられる接続端子の回転中心と、ボディに設けられた複数の回転位置決め穴の中心とがずれていた場合にも、その誤差を回転位置決め穴の楕円形状部分で吸収することができる。これにより、所定の角度
ごとに、接続端子の位置決め突起部を容易に回転位置決め穴に係合させることができる。
【００２０】
また、第１の局面では、ノブの端子係合部を、斜面形状部を有するように構成することによって、ノブの端子係合部に接続端子のノブ係合爪部を係合させる際に、斜面形状部の斜面部分で接続端子のノブ係合爪部を広げながらノブの端子係合部に係合させることができる。これにより、ノブと接続端子との組み付けが容易になるので、組立工数を削減することができる。
【００２１】
また、第１の局面では、ノブを、ノブの軸部の端面の回転中心に対応する位置に設けられた中央突出部と、ノブの軸部の端面に中央突出部と所定の間隔を隔てて設けられた回り止め突出部とを含むように構成し、かつ、接続端子を、ノブの軸部の端面に取り付けられるとともに、ノブの中央突出部と係合する第１穴部および回り止め突出部と係合する第２穴部を有する底面板部を含むように構成することによって、中央突出部によりノブと接続端子との回転中心軸を容易に合わせることができるとともに、中央突出部と回り止め突出部とにより、ノブに対する接続端子の回転位置ずれを抑制することができるので、ノブを回転させる際に、スイッチ基板に当接する接続端子の接点部を、スイッチ基板に対してより正確に移動させることができる。これにより、ノブを回転させることによる機能の切り替えをより正確に行うことができる。
【００２２】
この発明の第２の局面におけるスイッチ装置では、軸部を有するノブと、ノブの軸部が回転可能に嵌め込まれる軸部挿入穴を有するボディと、ボディの内面側でノブの軸部に取り付けられ、バネ性を有する材料からなる接続端子と、接続端子が当接される分割されたパターンを有するスイッチ基板とを備え、ノブは、ボディの内面と係合するボディ係合部と、端子係合部とを含み、接続端子は、ノブの端子係合部と係合するノブ係合部と、スイッチ基板と当接する接点部とを含む。
【００２３】
この発明の第２の局面におけるスイッチ装置では、上記のようにスイッチ装置のノブを、ボディの内面と係合するボディ係合部を含むように構成することによって、ねじおよび固定部材を用いることなく、ボディ係合部によりノブをボディに対して回転可能に取り付けることができるので、その分、部品点数を削減することができる。また、組立時に時間がかかるねじ止め部分がないので組立工数を削減することができる。また、ノブを、複数の端子係合部を含むように構成するとともに、接続端子を、ノブの端子係合部と係合するノブ係合部を含むように構成することによって、ノブと接続端子とをねじなどを用いることなく固定することができる。これによっても、ねじがない分、部品点数および組立工数を削減することができる。また、ねじ止め作業や折り曲げ作業がない分、組立工程が複雑になることもない。また、１つの接続端子を分割されたパターンを有するスイッチ基板に当接させるとともに、ノブの回転により接続端子を回転させることによって、１つの接続端子で複数の機能の切り替えを行うことができる。これによっても部品点数が増加するのを防止することができる。
【００２４】
上記第２の局面によるスイッチ装置において、好ましくは、ボディは、ボディの内面側に複数配置されるノブの回転角度位置を決めるための回転位置決め穴を含み、接続端子は、ボディの内面からボディに設けられた複数の回転位置決め穴に嵌まり込むように構成された位置決め突起部を含む。このように構成すれば、ノブの回転中心に対して所定の角度ごとに、回転位置決め穴と位置決め突起部とが係合することによりノブの所定の回転角度位置を保持することができる。
【００２５】
この場合、好ましくは、ボディの回転位置決め穴は、ノブの回転中心に対して半径方向に延びる楕円形状に形成されている。このように構成すれば、ノブの軸部に取り付けられる接続端子の回転中心と、ボディに設けられた複数の回転位置決め穴の中心とがずれてい
た場合にも、その誤差を回転位置決め穴の楕円形状部分で吸収することができる。これにより、所定の角度ごとに、接続端子の位置決め突起部を容易に回転位置決め穴に係合させることができる。
【００２６】
上記第２の局面によるスイッチ装置において、好ましくは、ノブの端子係合部は、斜面形状部を有する。このように構成すれば、ノブの端子係合部に接続端子のノブ係合部を係合させる際に、斜面形状部の斜面部分で接続端子のノブ係合部を広げながらノブの端子係合部に係合させることができる。これにより、ノブと接続端子との組み付けが容易になるので、組立工数を削減することができる。
【００２７】
上記第２の局面によるスイッチ装置において、好ましくは、ノブは、ノブの軸部の端面の回転中心に対応する位置に設けられた中央突出部と、ノブの軸部の端面に中央突出部と所定の間隔を隔てて設けられた回り止め突出部とを含み、接続端子は、ノブの軸部の端面に取り付けられるとともに、ノブの中央突出部と係合する第１穴部および回り止め突出部と係合する第２穴部を有する底面板部を含む。このように構成すれば、中央突出部によりノブと接続端子との回転中心軸を容易に合わせることができるとともに、中央突出部と回り止め突出部とにより、ノブに対する接続端子の回転位置ずれを抑制することができるので、ノブを回転させる際に、スイッチ基板に当接する接続端子の接点部を、スイッチ基板に対してより正確に移動させることができる。これにより、ノブを回転させることによる機能の切り替えをより正確に行うことができる。
【発明を実施するための最良の形態】
【００２８】
図１は、本発明の一実施形態によるデジタルカメラのスイッチ装置部分を示した分解斜視図であり、図２は、図１の部分拡大図である。図３〜図６は、図１に示した本発明の一実施形態によるデジタルカメラのスイッチ装置の構成部分の詳細を示した斜視図である。図７は、図２に示した本発明の一実施形態によるデジタルカメラのスイッチ装置の２００−２００線に沿った断面図である。まず、図１〜図７を参照して、本発明の一実施形態によるスイッチ装置を備えたデジタルカメラ１の構造について説明する。
【００２９】
本発明の一実施形態によるデジタルカメラ１では、図１および図２に示すように、樹脂製のボディ１０の上面部に設けられたスイッチ装着部１１には、スイッチ装置１５が装着されている。このスイッチ装置１５は、デジタルカメラ１の機能の切り替えを行うために設けられている。また、スイッチ装置１５は、ボディ１０のスイッチ装着部１１と、軸部２１を有する樹脂製のノブ２０と、板バネからなる接続端子３０と、スイッチ基板４０（プリント基板）とにより構成されている。
【００３０】
スイッチ装着部１１は、軸部挿入穴１１ａと、回転位置決め穴１１ｂとを有している。この軸部挿入穴１１ａには、ノブ２０の軸部２１が回転可能に挿入されている。デジタルカメラ１の機能は、ノブ２０を回転させることによって切り替えられる。
【００３１】
ここで、本実施形態では、スイッチ装着部１１の回転位置決め穴１１ｂは、図１、図２および図７に示すように、ノブ２０の回転中心から所定の半径で円周状に複数配置されている。また、各々の回転位置決め穴１１ｂは、ノブ２０の回転中心に対して半径方向に延びる楕円形状に形成されている。また、図３に示すように、ノブ２０の軸部２１の周面には、軸部２１の下面方向から見て１２０度毎に等間隔に３つのボディ係合爪部２２が設けられている。このボディ係合爪部２２は、図７に示すように、ノブ２０の軸部２１を軸部挿入穴１１ａに嵌め込んだ場合に、ボディ１０の内面側からボディ１０のスイッチ装着部１１と係合するように構成されている。また、軸部２１の周面の３つのボディ係合爪部２２の形成位置と６０度ずらして１２０度毎に等間隔に、図３に示すように、３つの端子係合部２３が設けられている。この端子係合部２３は、図３および図７に示すように、斜面
形状部２３ａが設けられている。この斜面形状部２３ａは、端子係合部２３の軸部２１の下面側に設けられるとともに、軸部２１の下面から基端部に向かう方向に対して径が大きくなるように傾斜している。この斜面形状部２３ａは、ノブ２０と接続端子３０との係合を容易にするために設けられている。
【００３２】
また、軸部２１の下面の回転中心に対応する位置には、図５および図７に示すように、ノブ２０と接続端子３０との回転中心軸を合わせるための中央突出部２４が設けられている。また、軸部２１の下面の中央突出部２４と所定の間隔を隔てた位置には、ノブ２０に対する接続端子３０の回り止め突出部２５が設けられている。
【００３３】
また、接続端子３０には、図４および図７に示すように、底面板部３１が設けられている。この底面板部３１は、ノブ２０の軸部２１の下面に取り付けられる。また、底面板部３１は、ノブ２０の中央突出部２４と係合する第１穴部３１ａと、ノブ２０の回り止め突出部２５と係合する第２穴部３１ｂとを有している。また、接続端子３０には、図４に示すように、底面板部３１の外周部分からノブ２０側に等間隔に突出する３つのノブ係合爪部３２が設けられている。また、ノブ係合爪部３２は、板状の部分の一部をコの字状に切り取って内側に折り曲げることにより形成された爪部３２ａを有している。このノブ係合爪部３２の爪部３２ａは、図５および図７に示すように、ノブ２０の周面に設けられた３つの端子係合部２３と係合する。
【００３４】
また、接続端子３０には、底面板部３１の外周部分からノブ２０側に突出して延びる半球形状の位置決め突起部３３が設けられている。この位置決め突起部３３は、ボディ１０のスイッチ装着部１１に設けられた複数の楕円形状の回転位置決め穴１１ｂに嵌まり込むように構成されている。また、接続端子３０には、図４、図６および図７に示すように、底面板部３１の外周部分からスイッチ基板４０側に突出して延びる接点部３４が設けられている。この接点部３４は、脚部３４ａと、当接部３４ｂとを有している。脚部３４ａおよび当接部３４ｂは、分岐した２つの部分からなる。また、当接部３４ｂは、脚部３４ａの先端に、Ｕ字状に形成されている。
【００３５】
また、スイッチ基板４０は、図１および図２に示すように、ボディ１０の内部に設けられた接続端子３０の下方に設けられている。また、スイッチ基板４０には、図６に示すように、ノブ２０を回転させた場合に、接点部３４の当接部３４ｂが描く軌跡に対応する位置に、導電部４１が設けられている。この導電部４１は、複数の分割された円弧状のパターンを有する。この導電部４１の複数の分割された円弧状のパターンによって、ノブ２０を回転させた場合に、所定の回転角度位置ごとに接点を切り替えることが可能となる。
【００３６】
本実施形態では、上記のように、スイッチ装置１５のノブ２０に、ボディ１０の内面と係合する３つのボディ係合爪部２２を設けることによって、従来のように、ねじおよび固定部材を用いることなく、ボディ係合爪部２２によりノブ２０をボディ１０に対して回転可能に取り付けることができるので、その分、部品点数を削減することができる。また、組立時に時間がかかるねじ止め部分がないので組立工数を削減することができる。
【００３７】
また、本実施形態では、ノブ２０に、３つの端子係合部２３を設けるとともに、接続端子３０に、ノブ２０の端子係合部２３と係合する３つのノブ係合爪部３２を設けることによって、ノブ２０と接続端子３０とをねじなどを用いることなく固定することができる。これによっても、ねじがない分、部品点数および組立工数を削減することができる。また、ねじ止め作業や折り曲げ作業がない分、組立工程が複雑になることもない。
【００３８】
また、本実施形態では、１つの接続端子３０を分割された円弧状のパターンを有するスイッチ基板４０に当接させるとともに、ノブ２０の回転により接続端子３０を回転させる
ことによって、１つの接続端子３０で複数の機能の切り替えを行うことができる。これによっても部品点数が増加するのを防止することができる。
【００３９】
また、本実施形態では、ボディ１０のスイッチ装着部１１に、ノブ２０の回転角度位置を決めるための複数の回転位置決め穴１１ｂを設けるとともに、接続端子３０に、複数の回転位置決め穴１１ｂに嵌まり込むように構成された半球状の位置決め突起部３３を設けることによって、ノブ２０の回転中心に対して所定の角度ごとに、回転位置決め穴１１ｂと位置決め突起部３３とが係合することによりノブ２０の所定の回転角度位置を保持することができる。
【００４０】
また、本実施形態では、ボディ１０の回転位置決め穴１１ｂを、ノブ２０の回転中心に対して半径方向に延びる楕円形状に形成することによって、ノブ２０の軸部２１に取り付けられる接続端子３０の回転中心と、ボディに設けられた複数の回転位置決め穴１１ｂの中心とがずれていた場合にも、その誤差を回転位置決め穴１１ｂの楕円形状部分で吸収することができる。これにより、所定の角度ごとに、接続端子３０の位置決め突起部３３を容易に回転位置決め穴１１ｂに係合させることができる。
【００４１】
また、本実施形態では、ノブ２０の端子係合部２３に、斜面形状部２３ａを設けることによって、ノブ２０の端子係合部２３に接続端子３０のノブ係合爪部３２を係合させる際に、斜面形状部２３ａの斜面部分で接続端子３０のノブ係合爪部３２を広げながらノブ２０の端子係合部２３に係合させることができる。これにより、ノブ２０と接続端子３０との組み付けが容易になるので、組立工数を削減することができる。
【００４２】
また、本実施形態では、ノブ２０に、ノブ２０の軸部２１の下面の回転中心に対応する位置に設けられた中央突出部２４と、ノブ２０の軸部２１の下面に中央突出部２４と所定の間隔を隔てて設けられた回り止め突出部２５とを設け、かつ、接続端子３０に、ノブ２０の軸部２１の下面に取り付けられるとともに、ノブ２０の中央突出部２４と係合する第１穴部３１ａおよび回り止め突出部２５と係合する第２穴部３１ｂを有する底面板部３１を設けることによって、中央突出部２４によりノブ２０と接続端子３０との回転中心軸を容易に合わせることができるとともに、中央突出部２４と回り止め突出部２５とにより、ノブ２０に対する接続端子３０の回転位置ずれを抑制することができる。これにより、ノブ２０を回転させる際に、スイッチ基板４０に当接する接続端子３０の接点部３４を、スイッチ基板４０に対してより正確に移動させることができるので、ノブ２０を回転させることによる機能の切り替えをより正確に行うことができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、本発明をデジタルカメラのスイッチ装置に適用する例を示したが、本発明はこれに限らず、デジタルカメラのスイッチ装置以外のスイッチ装置にも適用可能である。
【図面の簡単な説明】
【００４５】
【図１】本発明の一実施形態によるデジタルカメラのスイッチ装置部分を示した分解斜視図である。
【図２】図１の部分拡大図である。
【図３】図１に示した本発明の一実施形態によるデジタルカメラのスイッチ装置のノブを示した斜視図である。
【図４】図１に示した本発明の一実施形態によるデジタルカメラのスイッチ装置の接続端子を示した斜視図である。
【図５】図１に示した本発明の一実施形態によるデジタルカメラのスイッチ装置のノブと接続端子との係合関係を示した斜視図である。
【図６】図１に示した本発明の一実施形態によるデジタルカメラのスイッチ装置の接続端子とスイッチ基板との配置関係を示した斜視図である。
【図７】図２に示した本発明の一実施形態によるデジタルカメラのスイッチ装置の２００−２００線に沿った断面図である。
【図８】従来のスイッチ装置を備えたデジタルカメラの斜視図である。
【図９】従来のデジタルカメラのスイッチ装置部分を示した分解斜視図である。
【図１０】図９に示した従来のデジタルカメラのスイッチ装置のノブの下面図である。
【図１１】図９に示した従来のデジタルカメラのスイッチ装置の３００−３００線に沿った断面図である。
【符号の説明】
【００４６】
１  デジタルカメラ
１０  ボディ
１１  スイッチ装着部
１１ａ  軸部挿入穴
１１ｂ  回転位置決め部
１５  スイッチ装置
２０  ノブ  
２１  軸部
２２  ボディ係合爪部
２３  端子係合部
２４  中央突出部
２５  回り止め突出部
３０  接続端子
３１  底面板部
３１ａ  第１穴部
３１ｂ  第２穴部
３２  ノブ係合爪部
３３  位置決め突起部
３４  接点部
４０  スイッチ基板
【図１】
2005063896.tif 000003
【図２】
2005063896.tif 000004
【図３】
2005063896.tif 000005
【図４】
2005063896.tif 000006
【図５】
2005063896.tif 000007
【図６】
2005063896.tif 000008
【図７】
2005063896.tif 000009
【図８】
2005063896.tif 000010
【図９】
2005063896.tif 000011
【図１０】
2005063896.tif 000012
【図１１】
2005063896.tif 000013